(57)【要約】【課題】  シートの補給の際に浮揚規制部材が邪魔にならず、シートの補給が簡単にできることを課題とする。【解決手段】  収容フレーム５２に設けられた浮揚規制部材６２によって、給紙トレイ４４に収容された記録紙Ｐにエアー吹き付け装置７４からエアーが吹き付けられたとき、記録紙Ｐの浮揚が規制される。また、浮揚規制部材６２は、給紙トレイ４４が収容フレーム５２に装填されているときには、給紙トレイ４４の上方に位置して給紙トレイ４４に収容された記録紙Ｐの浮揚を規制しているが、給紙トレイ４４を収容フレーム５２から引出したとき給紙トレイ４４と一緒に引き出されない。これにより、収容フレーム５２から給紙トレイ４４を引き出して記録紙Ｐを補充する際に、浮揚規制部材６２が邪魔にならない。【選択図】    図３
2005335942.tif 000002
【特許請求の範囲】
【請求項１】
シートを収容するシート収容部と、前記シート収容部が引き出し可能に装填される収容フレームと、前記シート収容部に収容されたシートを送り出すシート供給部材と、前記シート収容部に収容されたシートにエアーを吹き付けるエアー吹き付け装置と、を備えた給紙装置において、
前記シート収容部が前記収容フレームに装填されているとき、前記シートの浮揚を規制する浮揚規制部材が、前記収容フレームに設けられたことを特徴とする給紙装置。
【請求項２】
前記シート収容部が前記収容フレーム内に多段に装填され、前記シート収容部の底部に、下方のシート収容部に収容されたシートの浮揚を規制する浮揚規制部が設けられていることを特徴とする請求項１に記載の給紙装置。
【請求項３】
前記浮揚規制部材又は前記浮揚規制部の少なくとも一部は、前記シート収容部のシート収容空間に突出していることを特徴とする請求項１又は請求項２に記載の給紙装置。
【請求項４】
前記シート収容部には、前記シートの端部を規制するガイド部材が設けられ、前記浮揚規制部材又は前記浮揚規制部の少なくとも一部は、前記ガイド部材の頂部よりも下方に突出していることを特徴とする請求項１〜請求項３のいずれか１項に記載の給紙装置。
【請求項５】
前記浮揚規制部材又は浮揚規制部は、前記シート収容部を引き出す際に該シート収容部の移動経路から退避することを特徴とする請求項１〜請求項４のいずれか１項に記載の給紙装置。
【請求項６】
前記シート収容部を前記収容フレームから引き出す際、前記エアー吹き付け装置からのエアー吹き付けを停止することを特徴とする請求項１〜請求項５のいずれか１項に記載の給紙装置。 
【発明の詳細な説明】
【技術分野】
【０００１】
本発明は、複写機、プリンタ等の画像形成装置に用いられる給紙装置に関する。
【背景技術】
【０００２】
プリンタや複写機等の画像形成装置において、塗工紙などが用いられることがある。塗工紙の表面は平滑性が高いため、塗工紙同士の密着力が高くなる。このため、普通紙などに比べて、分離が難しく、重送や紙詰まりが発生しやすい。
【０００３】
この問題に対し、シートの側方からエアーを吹き込んでシートとシートの間にエアーを通過させることで、上位のシートを浮き上がらせて１枚ずつ分離させ、最上位の１枚を他のシートから分離させて搬送する方法が提案されている。このとき、最上位のシートはエアーが吹き込まれることによって浮き上がりが大きくなってしまい、この浮き上がりを規制する部材が必要となってくる。
【０００４】
そこで、図８に示すように、積載されたシートＳの上にシート押さえ部材１０２を配置して、シートＳの浮揚が大きくなり過ぎることを防ぐ給紙装置１００が開示されている（特許文献１参照）。
【０００５】
しかし、特許文献１の給紙装置１００では、シート押さえ部材１０２は、シートＳが収容されている給紙トレイ１０４に取り付けられており、給紙トレイ１０４にシートＳを補給する際に給紙トレイ１０４を引き出すと、シート押さえ部材１０２も給紙トレイ１０４と一緒に引き出される。このため、シート押さえ部材１０２を給紙トレイ１０４のシートＳを収納する領域から退避させないと、給紙トレイ１０４にシートＳを補給できない。
【特許文献１】特開４−２３７４７号公報
【発明の開示】
【発明が解決しようとする課題】
【０００６】
本発明は上記事実を考慮し、シートの補給の際に浮揚規制部材が邪魔にならず、シートの補給が簡単にできることを課題とする。
【課題を解決するための手段】
【０００７】
請求項１に記載の発明は、シートを収容するシート収容部と、前記シート収容部が引き出し可能に装填される収容フレームと、前記シート収容部に収容されたシートを送り出すシート供給部材と、前記シート収容部に収容されたシートにエアーを吹き付けるエアー吹き付け装置と、を備えた給紙装置において、前記シート収容部が前記収容フレームに装填されているとき、前記シートの浮揚を規制する浮揚規制部材が、前記収容フレームに設けられたことを特徴としている。
【０００８】
請求項１に記載の発明によれば、収容フレームに設けられた浮揚規制部材によって、シート収容部に収容されたシートにエアー吹き付け装置からエアーが吹き付けられたとき、シートの浮揚が規制される。
【０００９】
また、浮揚規制部材は、シート収容部が収容フレームに装填されているときには、シート収容部の上方に位置してシート収容部に収容されたシートの浮揚を規制しているが、シート収容部を収容フレームから引出したときシート収容部と一緒に引き出されない。これにより、収容フレームからシート収容部を引き出してシートを補充する際に、浮揚規制部材が邪魔にならない。
【００１０】
請求項２に記載の発明は、前記シート収容部が前記収容フレーム内に多段に装填され、前記シート収容部の底部に、下方のシート収容部に収容されたシートの浮揚を規制する浮揚規制部が設けられていることを特徴としている。
【００１１】
請求項２に記載の発明によれば、シート収容部が収容フレーム内に多段に装填されているとき、上のシート収容部の底部に設けられた浮揚規制部によって、シート収容部に収容されたシートの浮揚が規制される。そして、例えば、収容フレームから下方のシート収容部を引き出したとき、シートの浮揚を規制している浮揚規制部は上方のシート収容部にとどまっているので、シート収容部と一緒に収容フレームから引き出されない。このため、下方のシート収容部にシートを補充する際に、浮揚規制部材が邪魔にならない。
【００１２】
請求項３に記載の発明は、前記浮揚規制部材又は前記浮揚規制部の少なくとも一部は、前記シート収容部のシート収容空間に突出していることを特徴としている。
【００１３】
請求項３に記載の発明によれば、浮揚規制部材又は浮揚規制部の少なくとも一部を、シート収容部のシート収容空間に突出させることで、エアー吹き付け装置から吹き出されたエアーによって浮揚したシートが、シート収容空間の外側へ浮揚するのを防止できる。これにより、シート収容部を収容フレームから引き出す時に、浮揚したシートが収容フレームなどにぶつかってダメージを受けることがない。
【００１４】
請求項４に記載の発明は、前記シート収容部には、前記シートの端部を規制するガイド部材が設けられ、前記浮揚規制部材又は前記浮揚規制部の少なくとも一部は、前記ガイド部材の頂部よりも下方に突出していることを特徴としている。
【００１５】
請求項４に記載の発明によれば、浮揚規制部材又は浮揚規制部の少なくとも一部を、シート収容部に設けられたシートの端部を規制するガイド部材の頂部よりも下に突出させることで、エアー吹き付け装置から吹き出されたエアーによって浮揚したシートが、ガイド部材よりも上方に浮揚するのを防止できる。これにより、シート収容部を収容フレームから引き出す時に、浮揚したシートが収容フレームなどにぶつかってダメージを受けることがない。
【００１６】
請求項５に記載の発明は、前記浮揚規制部材又は浮揚規制部は、前記シート収容部を引き出す際に、該浮揚規制部材を該シート収容部の移動経路から退避させることを特徴としている。
【００１７】
請求項５に記載の発明によれば、シート収容部を収容フレームから引き出す時、浮揚規制部材をシート収容部の移動経路から退避させることで、浮揚規制部材又は浮揚規制部がシート収容部と接触することがない。すなわち、シート収容部を収容フレームから引き出す時に、浮揚規制部材又は浮揚規制部が邪魔にならない。また、シート収容部を収容フレームから引き出す際に、シート収容部が浮揚規制部材又は浮揚規制部とぶつからないようにシート収容部の形状を考える必要がなく、シート収容部の形状の設計自由度が上がる。
【００１８】
請求項６に記載の発明は、前記シート収容部を前記収容フレームから引き出す際、前記エアー吹き付け装置からのエアーの吹き付けを停止することを特徴としている。
【００１９】
請求項６に記載の発明によれば、シート収容部を収容フレームから引き出す際に、このシート収容部に収容されたシートにエアーを吹き付けるエアー吹き付け装置を停止させることで、シート収容部を収容フレームから引き出す時にシートの浮揚が収まっており、シートが収容フレーム等にぶつかってダメージを受けることがない。
【発明の効果】
【００２０】
本発明は上記構成としたので、シートの補給の際に浮揚規制部材又は浮揚規制部が邪魔にならず、シートの補給が簡単にできる。
【発明を実施するための最良の形態】
【００２１】
本発明の第１の実施形態に係る給紙装置４０について説明する前に、この給紙装置４０を備えた画像形成装置１０の概要について説明する。
【００２２】
図１に示すように、画像形成装置１０は画像形成部１２を備えている。画像形成部１２には、感光体ドラム１４が設けられており、感光体ドラム１４の円周方向には、帯電器１６、現像装置１８、クリーナー２０が配設されている。帯電器１６と現像装置１８の間には、感光体ドラム１４の表面にレーザー光を照射する画像書込装置２２が設けられている。
【００２３】
画像書込装置２２は、画像記録制御部２４に接続されている。画像記録制御部２４は、通信回線３２を介して受信部２６に接続されており、画像読取装置２８で読み取られたデータ、又は、外部機器（パーソナルコンピュータ等）３０からのデータ等の画像情報が受信部２６から画像記録制御部２４へ送られる。そして、画像記録制御部２４によって制御された画像情報に基づきレーザー光を変調して、画像書込装置２２から感光体ドラム１４に静電潜像を形成する。
【００２４】
感光体ドラム１４は、帯電器１６によって表面が所定の電位に帯電される。そして、画像書込装置２２からレーザー光が照射されて感光体ドラム１４の表面が露光され、静電潜像が形成される。この静電潜像が、現像装置１８によって現像化され、感光体ドラム１４の表面にトナー像が形成される。このとき、記録紙Ｐに転写されずに感光体ドラム１４の表面に残留したトナーは、クリーナー２０によって回収される。
【００２５】
感光体ドラム１４の画像書込装置２２と反対側には、感光体ドラム１４に対向して、転写ローラ３４が設けられている。後述する給紙部４２から搬送された記録紙Ｐに、転写ローラ３４によって感光体ドラム１４のトナー像が転写され、搬送方向下流側に設置された定着装置３６で、トナー像が記録紙Ｐに定着される。そして、定着装置３６の搬送方向下流側に設けられた一対の排出ローラ３８によって、記録紙Ｐは排出トレイ３９に排出される。
【００２６】
一方、画像形成装置１０の下方には、複数の給紙装置４０が上下に設けられた給紙部４２が配設されている。
【００２７】
図２に示すように、給紙装置４０は箱状の給紙トレイ４４を備えている。給紙トレイ４４内には記録紙Ｐが積層されており、搬送方向上流側には、記録紙Ｐの搬送方向の後端面を規制するエンドガイド４８が設けられている。また、記録紙Ｐの搬送方向（矢印Ａ、以降、搬送方向とする）と直交する方向の一方の端面（側端面）は、給紙トレイ４４の側壁４４Ｃに突き当てられており、側壁４４Ｃと対向する位置には、記録紙Ｐの他方の側端面を規制する側面ガイド５０が設置されている。エンドガイド４８は搬送方向に、側面ガイド５０は搬送方向と直交する方向に、それぞれスライド可能となっており、記録紙Ｐのサイズに応じてスライドさせて記録紙Ｐの端面を位置決めするようになっている。
【００２８】
図３は、収容フレーム５２の奥から給紙トレイ４４を見た断面図である。図３に示すように、給紙トレイ４４の底部には、図示しないモータの駆動により昇降するボトムプレート４７が設けられている。モータは、マイクロスイッチによってオン、オフされるようになっている。記録紙Ｐの最上位の高さが所定高さより低くなってマイクロスイッチがオンになると、モータを駆動してボトムプレート４７を上昇させる。記録紙Ｐの最上位の高さが所定高さになり、マイクロスイッチがオフになると、モータの駆動を停止してボトムプレート４７の上昇を停止させる構成となっている。
【００２９】
この給紙トレイ４４は、図２に示すように、画像形成装置１０本体に設けられた収容フレーム５２に収容されている。収容フレーム５２の図中の手前側の側壁（搬送方向と平行となる側壁）には開口部５４が形成されており、開口部５４から給紙トレイ４４が手前側へ引き出し可能となっている。
【００３０】
収容フレーム５２の搬送方向と直交する方向に平行な側壁５２Ａの内側には、引き出しレール５６が設けられている。この引き出しレール５６には、給紙トレイ４４の搬送方向の側壁４４Ａに設けられたレール部５８が係合するようになっており、給紙トレイ４４は収容フレーム５２に対して搬送方向と直交する方向にスライドするようになっている。
【００３１】
給紙トレイ４４の搬送方向と平行となる側壁４４Ｂには、把持部６０が形成されており、収容フレーム５２に給紙トレイ４４が収容されているとき、この把持部６０を把持して手前に引き出せば、給紙トレイ４４が収容フレーム５２から引き出されるようになっている。
【００３２】
また、側壁４４Ｂには、段部４５が形成されており、搬送方向と直交する方向に平行な側壁４４Ａよりも低くなっている。これにより、収容フレーム５２に収容された給紙トレイ４４を収容フレーム５２から引き出すとき、給紙トレイ４４の側壁４４Ｂが後述する浮揚規制部材６２にぶつからないようになっている。
【００３３】
収容フレーム５２の記録紙Ｐの搬送方向の前端部側の側壁５２Ａには、記録紙Ｐが通過可能な大きさの開口部６４が形成されている。この開口部６４の近傍には、ロールユニット６６が設けられている。
【００３４】
ロールユニット６６は、図示しない支持アームを介して揺動自在とされ、給紙トレイ４４に積載された記録紙Ｐの最上面に接触して、記録紙Ｐを送り出すナジャーロール６８と、ナジャーロール６８の下流側に設置され、ナジャーロール６８から送り出された記録紙Ｐを捌いて下流側へ搬送するフィードロール７０と、フィードロール７０の下方に配設され、フィードロール７０を押圧して記録紙Ｐを分離して画像形成部へ搬送するリタードロール７２を備えている。
【００３５】
収容フレーム５２の開口部５４と対向する側壁５２Ｂには、エアー吹き付け装置７４のエアー吹出口７６が設置されている。エアー吹き付け装置７４の吸入口側にはブロワー７７が接続されており、ブロワー７７から吹出されたエアーがエアー吹出口７６から記録紙Ｐに向かって吹出されるようになっている。
【００３６】
エアー吹出口７６は、図３に示すように、搬送方向の下流側寄りに配置されている。また、エアー吹出口７６の開口下端が最上位の記録紙Ｐより下方に位置し、且つ、上端が最上位の記録紙Ｐよりも上方となるように位置している。これにより、エアー吹出口７６から吹出されるエアーは、搬送方向の下流側の側端部に向かってほぼ真直ぐに向かう。
【００３７】
なお、本実施形態では、エアー吹き付け装置７４を収容フレーム５２の開口部と対向する側壁５２Ｂ（搬送方向と平行となる側壁）に設けることで、記録紙Ｐの搬送方向と直交する方向側にエアーを吹付ける構成としたが、エアーを吹付ける位置は、記録紙Ｐの前端部でもよい。また、エアー吹出口７６の開口幅は、記録紙Ｐの辺の一部分であってもよく、また、記録紙Ｐの辺の全長に渡るものであってもよい。さらに、エアー吹き付け装置７４の数は、本実施形態では１個としたが、複数箇所に設置してもよい。
【００３８】
収容フレーム５２の天板５２Ｃの内側（給紙トレイ４４を収容フレーム５２に収納したとき、給紙トレイ４４と対向する面）には、浮揚規制部材６２が設けられている。浮揚規制部材６２は記録紙Ｐが滑り易い樹脂製のブロックで、搬送方向の上流側寄りの位置に、給紙トレイ４４の記録紙Ｐが収容されている領域（記録紙収容領域）に突出するように膨出している。すなわち、給紙トレイ４４を収容フレーム５２に収容したとき、給紙トレイ４４に収容された記録紙Ｐの上方には、浮揚規制部材６２が配置された状態になっている。このように、浮揚規制部材６２を給紙トレイ４４に収容された記録紙Ｐの上方に配置することで、エアー吹き付け装置７４から記録紙Ｐにエアーを吹付けたとき、記録紙Ｐの上部数枚の浮き上がりが、エアー吹出口７６の正面のほぼ全面に広がり、各記録紙Ｐ間の隙間がほぼ同じになる。そして、この隙間を空気が一方側から他方側まで通過していく。これによって、記録紙Ｐの分離が良くなり、１枚ずつ記録紙Ｐを送り出し易くなる。
【００３９】
浮揚規制部材６２は、収容フレーム５２に給紙トレイ４４を収容したとき給紙トレイ４４の側壁４４Ａ、４４Ｂ及び側面ガイド５０、エンドガイド４８と接触しない大きさとされ、搬送方向と直交する方向から見たとき、上流側から下流側にかけてなだらかな曲線を描くようにして、高さが低くなっている。これにより、記録紙Ｐにエアーが吹き付けられて記録紙Ｐが浮き上がったとき、記録紙Ｐの浮き上がりが上流側から下流側に向けてなだらかな曲線を描くようになっている。
【００４０】
なお、本実施形態では、浮揚規制部材６２は、記録紙Ｐの搬送方向の上流側から下流側へかけてなだらかな曲線を描く形状としたが、エアーによって浮き上がった記録紙Ｐの浮き上がりを規制できる形状であれば、浮揚規制部材６２の形状は特に限定されるものではない。
【００４１】
次に、本発明の第１の実施形態の作用について説明する。
【００４２】
給紙トレイ４４が引き出し可能に装填される収容フレーム５２には、浮揚規制部材６２が設けられており、この浮揚規制部材６２によって、給紙トレイ４４を収容フレーム５２に装填して、給紙トレイ４４に収容された記録紙Ｐに、エアー吹き付け装置７４からエアーが吹付けられたときに、記録紙Ｐの浮揚が規制される。
【００４３】
すなわち、給紙トレイ４４が収容フレーム５２に装填されているときには、給紙トレイ４４の上方には浮揚規制部材６２が位置して、給紙トレイ４４に収容された記録紙Ｐの浮揚を規制しているが、給紙トレイ４４を収容フレーム５２から引出したときには、浮揚規制部材６２は給紙トレイ４４と一緒に引き出されない。これにより、収容フレーム５２から給紙トレイ４４を引き出して記録紙Ｐを補充する際に、浮揚規制部材６２が邪魔にならない。
【００４４】
次に、本発明の第２の実施形態に係る給紙装置７８について説明する。なお、第１の実施形態と同様の部分についての説明は割愛する。
【００４５】
図４に示すように、給紙トレイ４４を収容フレーム５２に収容したとき、浮揚規制部材８０が給紙トレイ４４の側壁４４Ｃよりも下側に位置するように設置されている。すなわち、浮揚規制部材８０は、給紙トレイ４４の記録紙収容領域に突出している。
【００４６】
次に、本発明の第２の実施形態の作用について説明する。
【００４７】
図４に示すように、浮揚規制部材８０を、給紙トレイ４４の記録紙収容領域に突出させることで、エアー吹き付け装置７４から吹き出されたエアーが吹き付けられて浮揚したシートが、給紙トレイ４４の外側へ浮揚するのを防止できる。これにより、給紙トレイ４４を収容フレーム５２から引き出す時に、浮揚した記録紙Ｐが給紙トレイ４４などにぶつかってダメージを受けることがない。
【００４８】
次に、本発明の第３の実施形態に係る給紙装置８２について説明する。なお、第１及び第２の実施形態と同様の部分についての説明は割愛する。
【００４９】
図５に示すように、給紙トレイ４４を収容フレーム５２に収容したとき、浮揚規制部材８４が側面ガイド５０及びエンドガイド４８よりも下側に位置するように設置されている。すなわち、浮揚規制部材８４は、側面ガイド５０及びエンドガイド４８の頂部よりも下方に突出している。
【００５０】
次に、本発明の第３の実施形態の作用について説明する。
【００５１】
図５に示すように、浮揚規制部材８４を側面ガイド５０及びエンドガイド４８の頂部よりも下に突出させることで、エアー吹き付け装置７４から吹き出されたエアーが吹き付けられて浮揚した記録紙Ｐが、側面ガイド５０及びエンドガイド４８よりも上方に浮揚するのを防止できる。これにより、給紙トレイ４４を収容フレーム５２から引き出す時に、浮揚した記録紙Ｐが給紙トレイ４４などにぶつかってダメージを受けることがない。
【００５２】
次に、本発明の第４の実施形態に係る給紙装置について説明する。なお、第１〜第３の実施形態と同様の部分についての説明は割愛する。
【００５３】
図６に示すように、複数（本実施形態では４個）の給紙トレイ４４が、画像形成装置１０本体に設けられた収容フレーム８７に収容されている。そして、収容フレーム８７に設けられた引き出しレール５６に、各々の給紙トレイ４４の側壁に設けられたレール部５８が係合しており、各給紙トレイ４４は、収容フレーム８７から個別に引き出し可能とされている。
【００５４】
収容フレーム８７の天板８６Ａの内側には、浮揚規制部材８８が設けられている。これにより、最上段の給紙トレイ４４に収容された記録紙Ｐの浮揚が規制されるようになっている。
【００５５】
最下段以外の給紙トレイ４４の底部の下面には、収容フレーム８７に設けられた浮揚規制部材８８と同様の浮揚規制部９０が設けられている。これらの浮揚規制部材８８によって、最上段以外の給紙トレイ４４に収容された記録紙Ｐの浮揚が規制されるようになっている。
【００５６】
次に、本発明の第４の実施形態の作用について説明する。
【００５７】
給紙トレイ４４が収容フレーム８７内に多段に装填されているとき、最上段の給紙トレイ４４に収容された記録紙Ｐは、収容フレーム８７に設けられた浮揚規制部材８８によって、浮揚が防止される。また、上から２段目の給紙トレイ４４に収容された記録紙Ｐは、最上段の給紙トレイ４４の底部に設けられた浮揚規制部９０によって、浮揚が規制される。同様にして、上から３段目の給紙トレイ４４に収容された記録紙Ｐは、上から２段目の給紙トレイ４４の底部に設けられた浮揚規制部９０によって浮揚が規制され、上から４段目（最下段）の給紙と例４４に収容された記録紙Ｐは、上から３段目の給紙と例４４の底部に設けられた浮揚規制部９０によって浮揚が規制される。
【００５８】
そして、収容フレーム８７から最上段の給紙トレイ４４を引き出したとき、浮揚規制部材８８は最上段の給紙トレイ４４と一緒に収容フレーム８７から引き出されない。また、上から２段目の給紙トレイ４４を収容フレーム８７から引き出したとき、この給紙トレイ４４に収容されている記録紙Ｐの浮揚を規制している浮揚規制部９０は、最上段の給紙トレイ４４の底部にとどまっているので、上から２段目の給紙トレイ４４と一緒に収容フレーム８７から引き出されない。同様にして、上から３段目、上から４段目の給紙トレイ４４を収容フレーム８７から引き出したとき、これらの給紙トレイ４４に収容されている記録紙Ｐは、それぞれ上の段の給紙トレイ４４の底部にとどまって、給紙トレイ４４と一緒に収容フレーム８７から引き出されない。従って、記録紙Ｐを補充する際に、浮揚規制部材８８又は浮揚規制部９０が邪魔にならない。
【００５９】
次に、本発明の第５の実施形態に係る給紙装置９２について説明する。なお、第１〜第４の実施形態と同様の部分についての説明は割愛する。
【００６０】
図７に示すように、収容フレーム５２の天板５２Ｃの内側には、ソレノイド９４が取り付けられている。ソレノイド９４は図示しない制御装置に接続されており、ソレノイド９４が通電されると、プランジャー９５が突出する。プランジャー９５の先端には、浮揚規制部材９８の一端が連結されている。この浮揚規制部材９８は略Ｌ字状とされ、屈曲部がピン９７を軸として回動するようになっている。これにより、プランジャー９５が突出すると、ピン９７を軸として矢印Ｂ方向に回動し、浮揚規制部材９８の他端が最上位の記録紙Ｐ近傍へ移動して、エアーが吹き付けられて浮揚した記録紙Ｐの浮揚を規制する。
【００６１】
ソレノイド９４への通電が停止すると、プランジャー９５が引っ込み、浮揚規制部材９８はピン９７を軸として矢印Ｂ方向と反対方向に回動して、記録紙Ｐ近傍から退避する。このとき、浮揚規制部材９８の他端の退避位置が、収容フレーム５２に収容された給紙トレイ４４を引き出すときに、給紙トレイ４４の側壁又は、エンドガイド４８等にぶつからないようになっている。
【００６２】
次に、本発明の第５の実施形態の作用について説明する。
【００６３】
給紙トレイ４４を収容フレーム５２から引き出す時、浮揚規制部材９８を給紙トレイ４４の移動経路から退避させることで、浮揚規制部材９８が給紙トレイ４４の側壁又はエンドガイド４８等と接触することがない。すなわち、給紙トレイ４４を収容フレーム５２から引き出す時に、浮揚規制部材９８が邪魔にならない。また、給紙トレイ４４を収容フレーム５２から引き出す際に、給紙トレイ４４が浮揚規制部材９８とぶつからないように給紙トレイ４４の形状を考える必要がなく、給紙トレイ４４の形状の設計自由度が上がる。
【００６４】
なお、給紙トレイ４４を収容フレーム５２から引き出すときに、エアー吹き付け装置７４からのエアーの吹き付けを停止させる構成としてもよい。
【００６５】
これにより、給紙トレイ４４を収容フレーム５２から引き出す際に、給紙トレイ４４を収容フレーム５２から引き出す時に記録紙Ｐの浮揚が収まっており、記録紙Ｐが給紙トレイ４４等にぶつかってダメージを受けることがない。
【図面の簡単な説明】
【００６６】
【図１】本発明の第１の実施形態に係る給紙装置が搭載された画像形成装置の概略図である。
【図２】本発明の第１の実施形態に係る給紙装置を示す斜視図である。
【図３】本発明の第１の実施形態に係る給紙装置を示す側面図である。
【図４】本発明の第２の実施形態に係る給紙装置を示す側面図である。
【図５】本発明の第３の実施形態に係る給紙装置を示す側面図である。
【図６】本発明の第４の実施形態に係る給紙装置を示す側面図である。
【図７】本発明の第５の実施形態に係る給紙装置を示す側面図である。
【図８】従来の給紙装置を示す説明図である。
【符号の説明】
【００６７】
４０   給紙装置
４４   給紙トレイ（シート収容部）
４８   エンドガイド（ガイド部材）
５０   側面ガイド（ガイド部材）
５２   収容フレーム
６２   浮揚規制部材
６６   ロールユニット（シート供給部材）
７４   エアー吹き付け装置
７８   給紙装置
８０   浮揚規制部材
８２   給紙装置
８４   浮揚規制部材
８７   収容フレーム
８８   浮揚規制部材
９０   浮揚規制部
９２   給紙装置
９８   浮揚規制部材
【図１】
2005335942.tif 000003
【図２】
2005335942.tif 000004
【図３】
2005335942.tif 000005
【図４】
2005335942.tif 000006
【図５】
2005335942.tif 000007
【図６】
2005335942.tif 000008
【図７】
2005335942.tif 000009
【図８】
2005335942.tif 000010